(57)【要約】【課題】  本発明は、パンツの原型を残したままリュックサックに転用でき、かつ、肩に負担がかかりにくいパンツを提供することを目的としている。【解決手段】  本発明に係るパンツ１は、両裾の内側に設けられた内側ファスナーエレメント３と、両裾の外側に設けられた外側ファスナーエレメント４と、両エレメント３、４を噛み合わせることができるスライダー５と、スライダー５に係合可能で、かつ、腰回り部又はその近傍に設けられた係合部材６と、を備えている。そして、両エレメント３、４を噛み合わせた後、裾口が腰回り部付近に位置するよう両裾を折曲げ、さらに、スライダー５を係合部材６に係合させることで、両裾が肩紐の役割を果たすリュックサックに変形できる。【選択図】図１
2008280625.tif 000002
【特許請求の範囲】
【請求項１】
両足を別々に包むパンツであって、
両裾の内側に設けられた内側ファスナーエレメントと、
両裾の外側に設けられた外側ファスナーエレメントと、
裾口方向にスライドすることで、前記両エレメントを噛み合わせることができるスライダーと、
前記スライダーに係合可能で、かつ、腰回り部又はその近傍に設けられた係合部材と、を備え、
前記両エレメントを噛み合わせた後、裾口が腰回り部付近に位置するよう両裾を折曲げ、さらに、前記スライダーを前記係合部材に係合させることで、両裾が肩紐の役割を果たすリュックサックに変形できることを特徴とする、パンツ。
【請求項２】
ストレッチ素材で両足を別々に包むストレッチパンツであって、
両裾の内側に設けられた内側ファスナーエレメントと、
両裾の外側に設けられた外側ファスナーエレメントと、
裾口方向にスライドすることで、前記両エレメントを噛み合わせることができるスライダーと、
前記スライダーに係合可能で、かつ、腰回り部又はその近傍に設けられた係合部材と、を備え、
前記両エレメントを噛み合わせた後、裾口が腰回り部付近に位置するよう両裾を折曲げ、さらに、前記スライダーを前記係合部材に係合させることで、両裾が肩紐の役割を果たすリュックサックに変形できることを特徴とする、ストレッチパンツ。
【発明の詳細な説明】
【技術分野】
【０００１】
本発明は、パンツ及びストレッチパンツに関し、特に、リュックサックに転用できるパンツ及びストレッチパンツに関する。
【背景技術】
【０００２】
リュックサックに転用できるパンツ自体は、特許文献１で提案されている。ここで提案されているパンツは、パンツ本体から取り外した左右の両裾を連結させてこれをリュックサックの収納部分とし、裾口に設けられた絞り紐を引き出してこれをリュックサックの肩紐とするものである。このように、引用文献１に記載のパンツによれば、切離し作業等の所定の作業を経ることでパンツをリュックサックに転用することができる。
【特許文献１】特開２０００−２８２３０９号公報
【発明の開示】
【発明が解決しようとする課題】
【０００３】
ところが、引用文献１に記載のパンツは、パンツのデザイン的特徴がほとんど表われていない裾でリュックサックが形成されてしまうため、パンツのデザインを十分に生かしきれていなかった。また、引用文献１に記載のパンツは、細い絞り紐を肩紐としているため、荷物が重い場合、肩に大きな負担がかかってしまう構造となっていた。
【０００４】
そこで本発明は、パンツのデザインを生かしたままリュックサックに転用でき、かつ、そのリュックサックが肩に負担がかかりにくい構造であるパンツを提供することを目的としている。
【課題を解決するための手段】
【０００５】
本発明は上述のような事情に鑑みてなされたものであり、本発明にかかるパンツは、  両足を別々に包むパンツであって、両裾の内側に設けられた内側ファスナーエレメントと、両裾の外側に設けられた外側ファスナーエレメントと、裾口方向にスライドすることで、前記両エレメントを噛み合わせることができるスライダーと、前記スライダーに係合可能で、かつ、腰回り部又はその近傍に設けられた係合部材と、を備え、前記両エレメントを噛み合わせた後、裾口が腰回り部付近に位置するよう両裾を折曲げ、さらに、前記スライダーを前記係合部材に係合させることで、両裾が肩紐の役割を果たすリュックサックに変形できることを特徴とする。
【０００６】
かかる構成によれば、パンツの一部のみをリュックサックにするのではなく、パンツ全体をリュックサックにすることができる。また、両裾がリュックサックの肩紐の役割を果たすため、肩紐の幅を広くすることができる。
【０００７】
また、本発明にかかるストレッチパンツは、ストレッチ素材で両足を別々に包むストレッチパンツであって、両裾の内側に設けられた内側ファスナーエレメントと、両裾の外側に設けられた外側ファスナーエレメントと、裾口方向にスライドすることで、前記両エレメントを噛み合わせることができるスライダーと、前記スライダーに係合可能で、かつ、腰回り部又はその近傍に設けられた係合部材と、を備え、前記両エレメントを噛み合わせた後、裾口が腰回り部付近に位置するよう両裾を折曲げ、さらに、前記スライダーを前記係合部材に係合させることで、両裾が肩紐の役割を果たすリュックサックに変形できることを特徴とする。
【０００８】
かかる構成によれば、リュックサックの肩紐の役割を果たす両裾がストレッチ素材になっているため、肩紐が肩にフィットすることから、肩への負担をより軽減することができる。
【発明の効果】
【０００９】
以上の説明から明らかなように、本発明によれば、パンツの一部のみをリュックサックにするのではなく、パンツ全体をリュックサックにすることができる。また、両裾がリュックサックの肩紐の役割を果たすため、肩紐の幅を広くすることができる。よって、パンツのデザインを生かしたままリュックサックに転用でき、かつ、そのリュックサックが肩に負担がかかりにくい構造であるパンツを提供することができる。
【発明を実施するための最良の形態】
【００１０】
以下、本発明に係る実施形態について図を参照して説明する。
【００１１】
まず、本実施形態にパンツの構成について説明する。図１は、本実施形態に係るパンツを示した図であって、（ａ）が正面図、（ｂ）が側面図、（ｃ）が背面図である。図１に示すように、パンツ１は、パンツ本体２と、内側ファスナーエレメント３と、外側ファスナーエレメント４と、スライダー５と、係合部材６と、絞り紐７と、を備えている。以下、各構成２〜７について詳細に説明する。
【００１２】
パンツ本体２は、両足を別々に包むいわゆる一般的なパンツの構成を有している。図１に示すように、パンツ本体２は、これを履いたときに装着者の腰に対応する腰回り部にベルトループ８を複数有している。ベルトループ８は、ベルトを保持する役割を有し、腰回り部に所定の間隔で設けられている。本実施形態では、パンツ本体２は、前方側の左右に２つと、後方側の左右及び中央に３つのベルトループを有している。また、パンツ本体２は、ヒップ部分にヒップポケット９を有している。ヒップポケット９は、底面を有する立体的な形状となっており、パンツ本体２のデザイン面で重要な役割を果たしている。
【００１３】
内側ファスナーエレメント３は、オープンファスナーの一構成部品である。図１に示すように、内側ファスナーエレメント３は、左右の両裾の内側であって、膝上部分から裾口付近にかけて直線状に設けられている。内側ファスナーエレメント３は、雌側のファスナーエレメントとなっており、後述する雄側の外側ファスナーエレメント４と噛み合うことができる。なお、内部ファスナーエレメント３は、外部ファスナーエレメント４と膝上部分から裾口に向かって順に噛み合うような歯の構成となっている。
【００１４】
外側ファスナーエレメント４は、オープンファスナーの一構成部品である。図１に示すように、外側ファスナーエレメント４は、左右の両裾の外側であって、膝上部分から裾口付近にかけて直線状に設けられている。外側ファスナーエレメント４は、雄側のファスナーエレメントとなっており、雌側の内側ファスナーエレメント３と噛み合うことができる。また、外部ファスナーエレメント４は、内部ファスナーエレメント３と膝上部分から裾口に向かって順に噛み合うような歯の構成となっている。上述のように、内側ファスナーエレメント３は裾の内側に設けられており、また、外側ファスナーエレメント４は裾の外側に設けられているため、両エレメント３、４が噛み合えば、裾の内側と外側とが連結することになる。
【００１５】
スライダー５は、オープンファスナーの一構成部品である。図１に示すように、スライダー５は、外側ファスナーエレメント４側に位置している。スライダー５は、内側ファスナーエレメント３と外側ファスナーエレメント４とを噛み合わせる役割を有しており、両エレメント３、４の上端部を合わせて膝上部分から裾口方向にスライドすることで、内側ファスナーエレメント３と外側ファスナーエレメント４を噛み合わせることができる。逆に、両エレメント３、４が噛み合った状態で、スライダー５を裾口から膝上部分方向にスライドすることで、両エレメント３、４の噛み合わせを解除することができる。なお、スライダー５は、引手の部分に係合部材６と係合するための係合孔１０を有している（図５参照）。
【００１６】
係合部材６は、パンツ１がリュックサックに変形する際にスライダー５と係合する部材である。図１に示すように、係合部材６は腰回り部の前面側に形成された２つのベルトループ８のそれぞれに取付けられている。本実施形態において、係合部材６はいわゆる「ナスカン」を使用している。ナスカンは、その一方が開閉できない固定環状部１１になっており、他方が開閉可能な開閉環状部１２となっている（図５参照）。本実施形態では、固定環状部１１に、ベルトループ８が通っており、ベルトループ８から係合部材６（ナスカン）が取り外せないようになっている。つまり、係合部材６は、この固定環状部１１を介してベルトループ８と連結し、ひいてはパンツ本体２と連結している。この固定環状部１１の反対側に位置する開閉環状部１２は、フック状の鉤部１３と、内側に揺動する揺動部１４とからなっている。なお、鉤部１３の大きさ（太さ）は、スライダー５の係合孔１０の大きさ（一辺）よりも小さくなっており、鉤部１３を係合孔１０へ通すことができる。
【００１７】
絞り紐７は、パンツ本体２の腰回り部を絞る役割を有する部材である。図２は、パンツの後方上部からみた腰回り部付近の斜視図である。図２に示すように、絞り紐７は、腰回り部の内部全体に通されており、絞り紐７の両端部がパンツ本体２の裏側へ飛び出した状態となっている。この絞り紐７の両端部を引き上げることで、パンツ本体２の腰回り部を絞ることができる。
【００１８】
以上が本実施形態にかかるパンツ１の各構成の説明である。次に、本実施形態に係るパンツ１をリュックサックに変形する手順について説明する。
【００１９】
図３は、パンツ１の背面図であって、両エレメント３、４が噛み合った状態を示した図である。図３に示すように、まず、左右の両裾の内側ファスナーエレメント３と外側ファスナーエレメント４とを噛み合わせる。このとき、両エレメント３、４は、裾部の背面側で噛み合うようにする。両エレメント３、４を噛み合わせるには、スライダー５を外側ファスナーエレメント４の上端部に位置させ、そのスライダー５に内側ファスナーエレメント３の上端部をはめ込み、さらに、スライダー５を裾口方向にスライドさせる。これによって、膝上部分から順に両エレメント３、４が噛み合っていく。そして、両エレメント３、４が噛み合うことで、裾の内側と外側が連結される。なお、内側ファスナーエレメント３と外側ファスナーエレメント４とが噛み合った状態では、スライダー５は裾口付近に位置している。
【００２０】
図４は、パンツの正面図であって、スライダー５が係合部材６に係合した状態を示した図である。図３のように両エレメント３、４を噛み合わせた後、図４に示すように、裾を中央付近で折曲げて裾口を腰回り部付近に位置させ、スライダー５を係合部材６に係合させる。このとき、パンツ本体２のヒップ部分にあるヒップポケット９が見えるように、裾の前面側を谷にして折曲げる。このようにスライダー５と係合部材６を係合させることで、パンツ本体２が膝部分付近を底とする袋状の形状となる。つまり、パンツ本体２の内部がリュックサックの収納部分の役割を果たし、このパンツ本体２の内部に荷物を挿入しても荷物が落ちることはない。また、裾の膝上部分から裾口までの部分が折り返されているため、この部分がリュックサックの肩紐の役割を果たすことができる。
【００２１】
図５は、図４の係合部材６の近傍を拡大した図である。図５に示すように、スライダー５と係合部材６とは、スライダー５の係合孔１０に係合部材６の鉤部１３を挿入することで係合される。本実施形態では、開閉環状部１２の開閉が容易に行うことができる係合部材６（ナスカン）を使用しているため、スライダー５の取り外し作業を簡単に行うことができる。
【００２２】
図６は、リュックサックとしての使用状態を示した図であって、（ａ）は前面図であり、（ｂ）は背面図である。図４のようにスライダー５と係合部材６を係合させ、パンツ本体２の内部に荷物を入れた後、図６に示すように、絞り紐７を引いてリュックサックの開口部である腰回り部を絞る。これにより、使用状態において、パンツ本体２の内部に入っている荷物が腰回り部から落ちるのを防止することができる。
【００２３】
このように、図３〜図６で説明した手順を経ることで、本実施形態に係るパンツ１を、両裾が肩紐の役割を果たし、パンツ本体２の内部が収納部分の役割を果たすリュックサックに変形することができる。
【００２４】
以上が、本実施形態にかかるパンツ１の説明である。本実施形態によれば、パンツ１の一部を切り離してリュックサックにするのではなく、パンツ１全体をリュックサックにすることができる。そのため、転用後のリュックサックは、パンツ１のデザインが生かされたものになる。特に本実施形態では、デザイン的特徴を有するヒップポケット９が見えるようになっているため、変形後のリュックサックは斬新なデザインを有するものとなっている。また、パンツ本体２の両裾がリュックサックの肩紐の役割を果たすため、変形後のリュックサックは、肩紐の幅が広く、肩に負担がかからない構造となっている。さらに、裾の内側と外側が連結されることで、裾が肩紐として適度な幅になるとともに、肩紐の厚みが増すことで肩紐のクッション性が向上する。そして、この裾の内側と外側との連結はファスナーによって素早く行うことができる。
【００２５】
なお、本願実施形態に係るパンツ本体２の素材をストレッチ素材とし、パンツ１をストレッチパンツとしてもよい。かかる構成によれば、変形後のリュックサックにおいて、肩紐の役割を果たす両裾がストレッチ素材となるため、肩紐の肩へのフィット感が増し、これにより肩への負担をさらに軽減することができる。
【００２６】
また、以上では、図５に示すようにベルトループにナスカンを取付けた場合について説明したが、図７に示すようにナスカンをスライダーに取付けても良い。この場合、ベルトループが係合部材６Ａとなり、ナスカンと図５のスライダー５を合わせた部分がナスカン付きのスライダー５Ａとなる。このように、スライダーや係合部材がいかなる形態であっても、両者が係合することで裾口が腰回り部付近に固定されるような構成であれば、本願発明の効果を奏することができる。
【産業上の利用可能性】
【００２７】
以上のように、本発明に係るパンツは、パンツのデザインを生かしたままリュックサックに転用でき、かつ、そのリュックサックが肩に負担がかかりにくい構造であるパンツを提供することができる。よって、パンツの技術分野において有益である。
【図面の簡単な説明】
【００２８】
【図１】本発明に係るパンツを示した図であって、（ａ）が正面図、（ｂ）が側面図、（ｃ）が背面図である。
【図２】本発明に係るパンツ後方上部からみた腰回り部付近の斜視図である。
【図３】本発明に係るパンツの背面図であって、両エレメントが噛み合った状態を示した図である。
【図４】本発明に係るパンツの正面図であって、スライダーが係合部材に係合した状態を示した図である。
【図５】図４の係合部材付近を拡大した図である。
【図６】本発明に係るパンツのリュックサックとしての使用状態を示した図であって、（ａ）は前面図であり、（ｂ）は背面図である。
【図７】本発明に係る他の実施形態を示した図である。
【符号の説明】
【００２９】
１  パンツ
２  パンツ本体
３  内側ファスナーエレメント
４  外側ファスナーエレメント
５  スライダー
６  係合部材
７  絞り紐
８  ベルトループ
９  ヒップポケット
１０  係合孔
１１  固定環状部
１２  開閉環状部
１３  鉤部
１４  揺動部
【図１】
2008280625.tif 000003
【図２】
2008280625.tif 000004
【図３】
2008280625.tif 000005
【図４】
2008280625.tif 000006
【図５】
2008280625.tif 000007
【図６】
2008280625.tif 000008
【図７】
2008280625.tif 000009